(57)【要約】      （修正有）【課題】通気性の確保が確実に行われ、縁切り効果、水抜き効果に優れる屋根塗装縁切具を提供する。【解決手段】ストッパーとなる立上壁１と、立上壁の下端側の両側部に各々一体となって形成された少なくとも２つの水平板状部２と、水平板状部の他端側に連続して各々形成された少なくとも２つのアーチ状部３と、２つのアーチ状部の他端側に連続して形成された先端部４とからなり、立上壁１、水平板状部２、アーチ状部３と先端部４とによって、開放部５が形成される。屋根を塗装する際に、上下の重なり部分に挿入し、屋根材を踏みつけると、アーチ状部３が押し潰されて伸び、水平板状部２がアーチ状部３との接続位置を支点にして立上壁１との接続側が持ち上がり、立上壁１が上方に移動し、塗装が縁切りされ、通気性が確保される。【選択図】図１
2014240590.tif 000002
【特許請求の範囲】
【請求項１】
ストッパーとなる立上壁と、
該立上壁の下端側の両側部に各々一体となって形成された少なくとも２つの水平板状部と、
該水平板状部の他端側に連続して各々形成された少なくとも２つのアーチ状部と、
該少なくとも２つのアーチ状部の他端側に連続して形成された先端部とからなり、
立上壁と少なくとも２つの水平状部とアーチ状部と先端部とによって開放部が形成されていることを特徴とする、屋根塗装縁切具。
【請求項２】
先端部が、台形状であることを特徴とする、請求項１に記載の屋根塗装縁切具。
【請求項３】
先端部が、先端側に向けて厚みが薄くなるように形成されていることを特徴とする、請求項１又は２に記載の屋根塗装縁切具。
【発明の詳細な説明】
【技術分野】
【０００１】
本発明は、化粧石綿スレート等による屋根を塗装する際に、上下の重なり部分が塗料で塞がれ、通気性が遮断されることを防止するために、重なり部分に挿入する屋根塗装縁切具である。
【背景技術】
【０００２】
屋根塗装縁切具として、特許文献１、特許文献２、特許文献３に示すものが知られている。
特許文献１には、屋根の補修のため再塗装した後、屋根材の重ね合せ部に打ちこんだまま使用する縁切り部材であって、前記屋根材の重ね合せ部に挿入する本体と、前記本体の手前端部に所定の位置に設定するためのストッパーと、前記本体は波形状をなし、且つ、複数個に分離あるいは一体で構成されているものが記載されている。
特許文献２には、屋根の補修のため再塗装した後、屋根材の重ね合わせ部に打ち込んだまま使用する縁切り部材であって、前記の屋根材の重ね合わせ部に挿入する板状の本体と、前記本体には屋根材の重ね合わせ部から離脱しないため該本体に設けた離脱防止片と、前記本体の手前部に所定の位置決めをするストッパーとからなる縁切り部材が記載されている。
特許文献３には、本体の打ち込み側の先端部が本体の中間部より縮小された寸法で角形を成している板状の本体と、前記本体の末端に斜めに設けた段差部と、前記段差部の他端に連結した略Ｌ字状のストッパーとからなる縁切り部材が記載されている。
【発明の概要】
【発明が解決しようとする課題】
【０００３】
特許文献１〜３に記載された屋根塗装縁切具は、いずれも、化粧石綿スレート等による屋根を塗装する際に上下の重なり部分に挿入することで通気性を確保するものであるが、条件によっては、屋根塗装縁切具を覆うように塗装膜が形成され、通気性が保つことができないことがあった。
また、塗装膜が覆うように形成されない場合であっても、僅かな隙間に差し入れた場合に、通気性の確保が充分に確保できないこともあった。
【課題を解決するための手段】
【０００４】
本発明の課題を解決するための手段は、下記のとおりである。
【０００５】
第１に、ストッパーとなる立上壁と、該立上壁の下端側の両側部に各々一体となって形成された少なくとも２つの水平板状部と、該水平板状部の他端側に連続して各々形成された少なくとも２つのアーチ状部と、該少なくとも２つのアーチ状部の他端側に連続して形成された先端部とからなり、立上壁と少なくとも２つの水平状部とアーチ状部と先端部とによって開放部が形成されていることを特徴とする、屋根塗装縁切具。
【０００６】
第２に、先端部が台形状である、上記第１に記載の屋根塗装縁切具。
【０００７】
第３に、先端部が、先端側に向けて厚みが薄くなるように形成されている、上記第１又は第２に記載の屋根塗装縁切具。
【発明の効果】
【０００８】
本発明によれば、屋根を塗装する際に、上下の重なり部分に挿入した後に、作業員が屋根材を踏みつけと、アーチ状部が押し潰されて伸び、水平板状部がアーチ状部との接続位置を支点にして立上壁との接続側が持ち上がる。
その結果、立上壁が上方に移動し、塗装が縁切りされ、通気性が確保される。
また、塗装膜が覆うように形成されない場合であっても、僅かな隙間に差し入れた場合に、アーチ状部がより強く圧迫されて押し潰されることで、水平板状部と立上壁との接触箇所が持ち上がる。
その結果、通気性の確保が、確実に行われることになる。
また、立上壁に切欠部を設けて、立上壁の一部を含めて開放部を形成することで、立上壁が上方に移動し易くなり、縁切り効果により優れると共に、水抜き効果がより優れたものとなる。
【図面の簡単な説明】
【０００９】
【図１】本発明に係る屋根塗装縁切具の斜視図である。
【図２】本発明に係る屋根塗装縁切具で、（Ａ）は正面図、（Ｂ）は左側面図、（Ｃ）は平面図である。
【図３】本発明に係る屋根塗装縁切具で、（Ａ）は背面図、（Ｂ）は底面図である。
【図４】図２中の図（Ａ）について、（Ａ）はＡ−Ａ線断面図、（Ｂ）はＢ−Ｂ線断面図である。
【図５】本発明に係る屋根塗装縁切具の使用状態を示す概略図である。
【図６】図５について、（Ａ）はＣ−Ｃ線断面図、（Ｂ）は要部の拡大図である。
【図７】本発明に係る屋根塗装縁切具の使用状態を示す概略図で、（Ａ）は全体図、（Ｂ）は要部の拡大図である。
【発明を実施するための形態】
【００１０】
以下、本発明を実施するための形態を、図面を参照しつつさらに具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１１】
本実施形態における屋根塗装縁切具は、ストッパーとなる立上壁１と、該立上壁１の下端側の中央部を挟んだ両側部に各々一体となって形成された２つの水平板状部２と、該水平板状部２の他端側に連続して各々形成された少なくとも２つのアーチ状部３と、該２つのアーチ状部３の他端側に連続して形成された先端部４とからなる。
そして、立上壁１と２つの水平状部２とアーチ状部３と先端部４とによって開放部５が形成されている。
ここで、水平板状部２及び該水平板状部２と連続して形成されたアーチ状部３の幅は、開放部５の幅より小さく、かつ、両側の水平板状部２及び該水平板状部２と連続して形成されたアーチ状部３の幅を合わせると開放部５の幅より大きく形成することが望ましい。
このように形成することで、本屋根塗装縁切具を圧迫した際に適度な変形をして保持力を発揮すると共に、踏みつけた際に、アーチ状部３が潰されて伸びることで、立上壁１が上方に移動し易くなる。
【００１２】
立上壁１の中央部で、水平板状部２と接触していない箇所には、切欠部１１が形成されている。
図３の（Ｂ）に示すように、該切欠部１１によって、立上壁１は開放部５に通じており、通気性が確保されている。
【００１３】
本実施形態において、先端部４は台形状に形成されており、設置の際に屋根材の重なり部分への挿入を容易なものとしている。
【００１４】
また、先端部４が、先端側に向けて厚みが薄くなるように形成されているので、重なり部分への挿入がより容易なものとなる。
【００１５】
開放部５の形状は、図２の（Ａ）に示すように、五角形状に形成されている。
【００１６】
図３中の６は、アーチ状部３の裏面側に棒状に形成された補強凸状部を示している。
【００１７】
本発明によれば、屋根を塗装する際には、図５に示すように、上下の重なり部分に挿入する。
挿入の際には、先端部４を差し入れることで、アーチ状部３が圧迫されて少しだけ押し潰された状態になる。
そして、水平板状部２の部分が挿入されると、最後には、立上壁１がストッパーになり、位置が固定される。
【００１８】
挿入後、塗装を行うことで、図６に示すように、塗装膜８が形成される。
【００１９】
作業員が屋根材７を踏みつけと、図７に示すように、アーチ状部３が押し潰されて伸びる。
すると、水平板状部２が、アーチ状部３との接続位置を支点にして、立上壁１との接続側が持ち上がり、立上壁１が上方に移動する。
その結果、塗装膜８が縁切りされて、通気性が確保される。
【００２０】
ここで、立上壁１に切欠部１１を設けて、立上壁１の一部を含めて開放部５を形成することで、立上壁１が上方に移動し易くなる。
この場合は、縁切り効果がより優れると共に、水抜き効果もより優れたものとなる。
【００２１】
また、塗装膜が覆うように形成されない場合であっても、僅かな隙間に差し入れた場合に、図７に示すように、人が踏んでいるのと同様に、アーチ状部３がより強く圧迫されて押し潰されることで、水平板状部２と立上壁１との接触箇所が持ち上がる。
その結果、通気性の確保が、人が踏んでいなくても確実に行われることになる。
【符号の説明】
【００２２】
１  立上壁
１１  切欠部
２  水平板状部
３  アーチ状部
４  先端部
５  開放部
６  補強凸状部
７  屋根材
８  塗装膜
【先行技術文献】
【特許文献】
【００２３】
【特許文献１】実用新案登録第３１３８７６８号
【特許文献２】特許登録第４７６１１９６号
【特許文献３】特許登録第３９５６０１２号
【図１】
2014240590.tif 000003
【図２】
2014240590.tif 000004
【図３】
2014240590.tif 000005
【図４】
2014240590.tif 000006
【図５】
2014240590.tif 000007
【図６】
2014240590.tif 000008
【図７】
2014240590.tif 000009